(57)【要約】【解決手段】底部Ｓと底部の一方の相対する辺部にヒンジ連結された側壁Ｗ１と底部のもう一方の相対する辺部にヒンジ連結された側壁Ｗ２とからなる折り畳みコンテナーにおいて、底部と側壁の角部を、射出成形品としての角部パーツ１、３Ａ、３Ｂ、４Ａ、４Ｂにより構成し、他の部分を市販のパネルＰｓ、Ｐｗ１、Ｐｗ２により構成したものである。【効果】底部と側壁の角部を、射出成形品としての角部パーツにより構成し、他の部分を市販のパネルにより構成したので、折り畳みコンテナーを、簡単に、且つ、安価に、所望の大きさに変更することができる。【選択図】図１
2004314988.tif 000002
【特許請求の範囲】
【請求項１】
底部と底部の一方の相対する辺部にヒンジ連結された側壁と底部のもう一方の相対する辺部にヒンジ連結された側壁とからなる折り畳みコンテナーにおいて、底部と側壁の角部を、射出成形品としての角部パーツにより構成し、他の部分を市販のパネルにより構成したことを特徴とする折り畳みコンテナー。
【請求項２】
底部と底部の一方の相対する辺部にヒンジ連結された側壁と底部のもう一方の相対する辺部にヒンジ連結された側壁とからなる折り畳みコンテナーにおいて、底部と側壁の角部を、射出成形品としての角部パーツにより構成し、他の部分を、市販のパネルと該パネルの辺部を挟持し保持する押出成形品としての保持枠により構成したことを特徴とする折り畳みコンテナー。
【請求項３】
底部の裏面に、底部角部パーツの裏面に形成された嵌合ブロックと底部パネル保持枠とにより囲撓されている段積み用嵌合部が形成されていることを特徴とする請求項１又は請求項２に記載の折り畳みコンテナ。
【発明の詳細な説明】
【０００１】
【発明の属する技術分野】
底部と、底部の一方の相対する辺部にヒンジ連結された一方の相対する側壁と、底部のもう一方の相対する辺部にヒンジ連結されたもう一方の相対する側壁とからなり、箱型に組み立てられた状態から、一方の相対する側壁を、底部に重なるように倒し、次いで、もう一方の相対する側壁を、底部に重ねられた一方の相対する側壁の上に重ねることにより、高さの低いコンパクトな状態に折り畳むことが可能な折り畳みコンテナーに関するものである。
【０００２】
【従来の技術】
従来、上部コーナー部材と下部コーナー部材と縦フレームにより構成された四隅部材に、紙製や合成樹脂製の段ボール等の薄板状のパネルを取り付けて形成された組み立て式の折り畳みコンテナーが知られている（特許第３２９４５５６号公報、特許第３２８５５７４号公報）。
【０００３】
【発明が解決しようとする課題】
上述した折り畳みコンテナーにおいては、隣り合う側壁同士を係止させる係止機構が、箱型に組み立てられた折り畳みコンテナーを段積みした際に、上に位置する折り畳みコンテナーの底部が嵌合する上部コーナー材の立上げ片の一部として構成されているために、係止機構が損傷し易いという問題がある。
【０００４】
また、箱型に組み立てられた折り畳みコンテナーを段積みした際に、上に位置する折り畳みコンテナーの底部が嵌合する上部コーナー材の立上げ片が、上部補強縁枠より上方に突出しているために、立上げ片が損傷し易いという問題がある。
【０００５】
更に、底部の四隅に配設される下部コーナ材が、底面より下方に突出しており、折り畳みコンテナーの底面が平坦に形成されていないために、折り畳みコンテナーをローラーコンベヤにより搬送する際に、下部コーナ材が、ローラーコンベヤ間に落ち込み、折り畳みコンテナーの上下振動が激しく、従って、折り畳みコンテナーに収容されている物品及び折り畳みコンテナー自体が損傷するという問題がある。
【０００６】
更にまた、従来の組み立て式の折り畳みコンテナーにおいては、組立作業或いは折り畳み作業の際に、いちいち、側板を、底部を構成する下部縁枠の溝に挿入したり、溝から引き抜かねばならず、従って、折り畳みコンテナーの組立作業或いは折り畳み作業の作業性が悪いという問題がある。しかも、側板を、底部を構成する下部縁枠の溝に挿入しただけであるので、箱型に組み立てられた状態の折り畳みコンテナーの強度や剛性が弱いという問題もある。
【０００７】
本発明の目的は、コンテナーの容量を自在に変更可能な折り畳みコンテナーを提供することにある。
【０００８】
【課題を解決するための手段】
本発明は、上述した目的を達成するために、底部と底部の一方の相対する辺部にヒンジ連結された側壁と底部のもう一方の相対する辺部にヒンジ連結された側壁とからなる折り畳みコンテナーにおいて、第１には、底部と側壁の角部を、射出成形品としての角部パーツにより構成し、他の部分を市販のパネルにより構成したものであり、第２には、底部と側壁の角部を、射出成形品としての角部パーツにより構成し、他の部分を、市販のパネルと該パネルの辺部を挟持し保持する押出成形品としての保持枠により構成したものであり、第３には、底部の裏面に、底部角部パーツの裏面に形成された嵌合ブロックと底部パネル保持枠とにより囲撓されている段積み用嵌合部を形成したものである。
【０００９】
【実施例】
以下に、本発明の実施例について説明するが、本発明の趣旨を越えない限り何ら、本実施例に限定されるものではない。
【００１０】
先ず最初に、本発明の折り畳みコンテナーの全体構成について、図１〜図３を用いて説明する。
【００１１】
本発明の折り畳みコンテナーは、底部Ｓと、底部Ｓに後述するようにヒンジ連結された相対する短側壁Ｗ１と、同じく底部Ｓに後述するようにヒンジ連結された相対する長側壁Ｗ２とにより構成されている。そして、図１に示されているように、箱型状態の折り畳みコンテナーの長側壁Ｗ２を、底部Ｓ方向に倒して、図２に示されているように、底部Ｓに重ね、次いで、短側壁Ｗ１を、底部Ｓ方向に倒して、図３に示されているように、底部Ｓに重ねられている長側壁Ｗ２の上に重ねることにより、折り畳むことができるように構成されている。また、図３に示されている折り畳み状態から、短側壁Ｗ１を略垂直に立て、次いで、長側壁Ｗ２を略垂直に立てることにより、図１に示されているように、箱型に組み立てられるように構成されている。
【００１２】
次に、底部Ｓについて説明する。
【００１３】
図４〜図６において、１は、底部Ｓの四隅に配設される底部角部パーツであり、底部角部パーツ１は、平面形状が方形状の底板部１ａと、底板部１ａの１つの角部に立設された、平面形状が略Ｌ字状のコーナー部材１ｂとから形成されており、コーナー部材１ｂは、高さの高い壁部１ｂ１と、該壁部１ｂ１より高さの低い壁部１ｂ２とを有している。高さの高い壁部１ｂ１には、底板部１ａ側が開口された平面形状が略方形状の縦孔ｈ１が形成されており、縦孔ｈ１は、底部角部パーツ１の高さの高い壁部１ｂ１側の雌ヒンジ部Ｈ１を構成するものであり、縦孔ｈ１を構成する相対する壁面には、後述するヒンジピンが嵌入される透孔ｈ１ａが穿設されている。また、高さの低い壁部１ｂ２には、平面形状が略方形状の縦孔ｈ２が形成されており、底板部１ａ側の高さの低い壁部１ｂ２の壁板１ｂ３の縦孔ｈ２の中央部に対応する部分には、所定の巾を有するスリットｈ３が形成されているとともに、スリットｈ３の両側に位置する壁板１ｂ３の縦孔ｈ２側の内壁面には、係止ノッチｈ４が形成されている。上記の縦孔ｈ２とスリットｈ３と係止ノッチｈ４とにより、底部角部パーツ１の高さの低い壁部１ｂ２側の雌ヒンジ部Ｈ２が形成されている。
【００１４】
底部角部パーツ１を構成するコーナー部材１ｂの高さの高い壁部１ｂ１は、コーナー部材１ｂの角部を越えて、高さの低い壁部１ｂ２方向に延在しており、従って、高さの高い壁部１ｂ１の平面形状も、略Ｌ字状に形成されている。なお、高さの低い壁部１ｂ２方向に延在して部分を、高さの高い壁部１ｂ１の高さの低い壁部１ｂ２側部分と称し、符号１ｂ１’が付されている。また、高さの高い壁部１ｂ１の高さの低い壁部１ｂ２側部分１ｂ１’の上部角部の外側には、傾斜面１ｃが形成されており、傾斜面１ｃを形成することにより、高さの高い壁部１ｂ１の高さの低い壁部１ｂ２側部分１ｂ１’の上部角部の内側には、嵌合凸部１ｄが形成されている。
【００１５】
底部角部パーツ１を構成するコーナー部材１ｂの高さの高い壁部１ｂ１の側端部の底板部１ａ側を、所定の幅に亘たって縦方向に切除することにより、高さの高い壁部１ｂ１の側端部には、薄肉部１ｂ４が形成されており、同様に、底部角部パーツ１を構成するコーナー部材１ｂの高さの低い壁部１ｂ２の側端部の底板部１ａ側を、所定の幅に亘たって縦方向に切除することにより、高さの低い壁部１ｂ２の側端部にも、薄肉部１ｂ５が形成されている。
【００１６】
図６に示されているように、底部角部パーツ１を構成する底板部１ａの裏面には、裏面形状が略方形状の嵌合ブロック１ｅが形成されている。高さの高い壁部１ｂ１と高さの低い壁部１ｂ２とにより形成される角部側に位置する底板部１ａの角部１ａ１付近に位置する嵌合ブロック１ｅの角部（以下、外側角部という。）１ｅ１を形成する側壁１ｅ２、１ｅ３は、底板部１ａの角部１ａ１を形成する底板部１ａの辺１ａ２、１ａ３と、それぞれ平行で、且つ、辺１ａ２、１ａ３より、所定距離、引っ込んで位置している。また、底板部１ａの裏面は、嵌合ブロック１ｅの外側角部１ｅ１の対角位置に位置する角部（以下、内側角部という。）１ｅ１’を形成する側壁１ｅ２’、１ｅ３’に沿って、４つの領域Ａ１〜Ａ４に分割されており、外側角部１ｅ１と内側角部１ｅ１’側に位置する領域Ａ２、Ａ４は、他の２つの領域領域Ａ１、Ａ３より、一段高く形成されており、換言すれば、領域Ａ１、Ａ３は、段差部として形成されている。なお、底板部１ａ、高さの高い壁部１ｂ１の薄肉部１ｂ４及び高さの低い壁部１ｂ２の薄肉部１ｂ５の所定の箇所には、折り畳みコンテナーの側壁等を形成する紙製や合成樹脂製の段ボール等の薄板状のパネルを取り付けるためのリベットやボルトやピン等の取付具が挿入可能な透孔Ｂが、それぞれ適当数、穿設されている。
【００１７】
図７〜図９において、２Ａ、２Ｂは、底部Ｓを構成する紙製や合成樹脂製の段ボール等の薄板状の底部パネルＰｓの辺部を挟持し保持するための底部パネル保持枠である。一方の底部パネル保持枠２Ａは、底部パネルＰｓの一方の相対する辺部を挟持し保持するものであり、本実施例においては、底部パネルＰｓの相対する長辺部ｐ１を挟持し保持するように構成されている。また、もう一方の底部パネル保持枠２Ｂは、底部パネルＰｓのもう一方の相対する辺部を挟持し保持するものであり、本実施例においては、底部パネルＰｓの相対する短辺部ｐ２を挟持し保持するように構成されている。底部パネル保持枠２Ａ、２Ｂは、長さが異なる以外は、同じ構成を有しているので、一方の底部パネル保持枠２Ａについてのみ説明する。
【００１８】
図８に示されているように、底部パネル保持枠２Ａは、垂直部分２ａと水平部分２ｂとから構成されており、その断面形状は、略Ｌ字状に形成されている。垂直部分２ａは、帯状の板材として形成されている。また、垂直部分２ａの下端には、垂直部分２ａに対して垂直な上部水平板部２ｂ１が連接されており、上部水平板部２ｂ１の中程には、垂直部２ｂ２が垂設されており、更に、垂直部２ｂ２の下端には、上部水平板部２ｂ１の先端方向に延在するとともに、上部水平板部２ｂ１と略平行な下部水平部２ｂ３が連接されている。上記の上部水平板部２ｂ１と垂直部２ｂ２と下部水平部２ｂ３とにより、底部パネル保持枠２Ａを構成する水平部分２ｂが形成されている。上記の上部水平板部２ｂ１の先端側の部分と垂直部２ｂ２と下部水平部２ｂ３とにより、底部パネルＰｓの短辺部ｐ１或いは長辺部ｐ２を挟持し保持する断面形状が略コの字状のパネル挟持部２’が形成されている。
【００１９】
底部パネル保持枠２Ａの水平部分２ｂの先端部は、上述した底部角部パーツ１の底板部１ａの裏面に段差部として形成されている領域Ａ３に嵌合するように構成されており、底部パネル保持枠２Ａの水平部分２ｂの先端部が、底部角部パーツ１の底板部１ａの裏面に段差部として形成されている領域Ａ３に嵌合された際には、底部パネル保持枠２Ａの下部水平部２ｂ３の下面と嵌合ブロック１ｅの下面とが略面一になるように構成されている。同様に、底部パネル保持枠２Ｂの水平部分２ｂの先端部も、上述した底部角部パーツ１の底板部１ａの裏面に段差部として形成されている領域Ａ１に嵌合するように構成されており、底部パネル保持枠２Ｂの水平部分２ｂの先端部が、底部角部パーツ１の底板部１ａの裏面に段差部として形成されている領域Ａ１に嵌合された際には、底部パネル保持枠２Ｂの下部水平部２ｂ３の下面と嵌合ブロック１ｅの下面とが略面一になるように構成されている。
【００２０】
紙製や合成樹脂製の段ボール等の薄板状の底部パネルＰｓの４つの角部には、直角三角形状の切込み部ｐ３が形成されている。底部パネルＰｓの長辺部ｐ１を挟持し保持する底部パネル保持枠２Ａは、底部パネルＰｓの長辺部ｐ１の長さ（切込み部ｐ３間の距離）Ｌ１と略同じ長さに形成されており、また、底部パネルＰｓの短辺部ｐ２を挟持し保持する底部パネル保持枠２Ｂは、底部パネルＰｓの短辺部ｐ２の長さ（切込み部ｐ３間の距離）Ｌ２と略同じ長さに形成されている。
【００２１】
次に、４つの底部角部パーツ１と、２本の底部パネル保持枠２Ａと、２本の底部パネル保持枠２Ｂと、１枚の底部パネルＰｓとによる底部Ｓの組み立てについて説明する。
【００２２】
底部パネルＰｓの相対する長辺部ｐ１を、底部パネル保持枠２Ａの断面形状が略コの字状のパネル挟持部２’に挿入するとともに、底部パネルＰｓの相対する短辺部ｐ２を、底部パネル保持枠２Ｂの断面形状が略コの字状のパネル挟持部２’に挿入する。その後、長辺部ｐ１側の底部パネル保持枠２Ａと短辺部ｐ２側の底部パネル保持枠２Ｂとの隅部に、底部角部パーツ１を配置し、底部角部パーツ１の嵌合ブロック１ｅを、底部パネルＰｓの切込み部ｐ３に挿入する。この際、底部パネル保持枠２Ａの水平部分２ｂの先端部は、上述した底部角部パーツ１の底板部１ａの裏面に段差部として形成されている領域Ａ３に嵌合されるとともに、底部パネル保持枠２Ｂの水平部分２ｂの先端部も、底部角部パーツ１の底板部１ａの裏面に段差部として形成されている領域Ａ１に嵌合されることになる。次いで、底部パネルＰｓの長辺部ｐ１を挟持し保持している底部パネル保持枠２Ａの両端部に位置する垂直部２ａに穿設されている透孔Ｂと、底部角部パーツ１の高さの低い壁部１ｂ２の薄肉部１ｂ５に穿設された透孔Ｂとに、ネジやボルトや本実施例における合成樹脂製リベットＲ等の適当な固着具を挿通して、底部パネル保持枠２Ａを、底部角部パーツ１に取り付ける。同様に、底部パネルＰｓの短辺部ｐ２を挟持し保持している底部パネル保持枠２Ｂの両端部に位置する垂直部２ａに穿設されている透孔Ｂと、底部角部パーツ１の高さの高い壁部１ｂ１の薄肉部１ｂ４に穿設された透孔Ｂとに、合成樹脂製リベットＲを挿通して、底部パネル保持枠２Ｂを、底部角部パーツ１に取り付ける。更に、底部パネルＰｓの切込み部ｐ３付近に穿設された透孔Ｂと底部角部パーツ１の底板部１ａに穿設された透孔Ｂとに、合成樹脂製リベットＲを挿通して、底部パネルＰｓを、底部角部パーツ１の底板部１ａに取り付ける。このようにして、底部Ｓを組み立てる。
【００２３】
上述したようにして、底部Ｓが組み立てられた状態においては、底部角部パーツ１の底板部１ａの裏面に形成された嵌合ブロック１ｅの外側角部１ｅ１を形成する側壁１ｅ２、１ｅ３は、底部パネル保持枠２Ａ、２Ｂの水平部分２ｂを構成する垂直部２ｂ２の外面と略面一になるように構成されている。
【００２４】
次に、図１０〜図１３を用いて、高さの高い雄ヒンジパーツ３Ａと高さの低い雄ヒンジパーツ３Ｂについて説明する。
【００２５】
図１０及び図１１に示されているように、高さの高い雄ヒンジパーツ３Ａは、略方形な板状の主部３ａを有している。また、主部３ａの下面の一方の端部寄りには、支柱ｈ５が垂設されており、支柱ｈ５の一方の相対する垂直面の下端部には、係止凸部ｈ６が水平方向に延設されている。主部３ａの下端に垂設された支柱ｈ５と係止凸部ｈ６とにより、雄ヒンジ部Ｈ２’が形成されている。また、主部３ａの上端角部付近には、主部３ａの内面側を削除して薄肉とすることにより、凹部としての段差部３ｂが形成されている。更に、主部３ｃの所定箇所には、適当数の透孔Ｂが穿設されている。
【００２６】
図１２及び図１３に示されているように、高さの低い雄ヒンジパーツ３Ｂは、略方形な板状の主部３ｃを有しており、主部３ｃの下面の一方の端部寄りには、雄ヒンジ部Ｈ１’を構成する支柱ｈ７が垂設されており、支柱ｈ７の下端部には水平円柱体ｈ８が形成されており、水平円柱体ｈ８には、後述するヒンジピンが嵌入される水平孔ｈ８ａが形成されている。雄ヒンジ部Ｈ１’は、上述した底部角部パーツ１に配設された雌ヒンジ部Ｈ１を構成する高さの高い壁部１ｂ１に形成された縦孔ｈ１に挿入可能なように構成されている。また、主部３ｃの雄ヒンジ部Ｈ１’付近の下面には、切り込み凹部３ｄが形成されているとともに、主部３ｃの上端角部付近には、主部３ｃの内面側を削除して薄肉とすることにより、凹部としての段差部３ｅが形成されている。更に、主部３ｃの所定箇所には、適当数の透孔Ｂが穿設されている。
【００２７】
次に、図１４〜図１７を用いて、ロックパーツ４Ａ、４Ｂについて説明する。ロックパーツ４Ａ、４Ｂは、同じ高さに形成されている。
【００２８】
図１４及び図１５に示されているように、一方のロックパーツ４Ａは、略方形な板状の主部４ａを有しており、主部４ａの一方の垂直端に沿って、適当数（本実施例においては、３個）の嵌合突部４ｂが、主部４ａに略垂直に突設されている。また、主部４ａの上端部には、主部４ａの内面側を削除して薄肉とすることにより、凹部としての段差部４ｃが形成されており、更に、主部４ａの一方の下端角部には、主部４ａの内面側を削除して薄肉とすることにより、凹部としての段差部４ｄが形成されている。そして、上記の段差部４ｃ、４ｄには、適当数の透孔Ｂが穿設されている。
【００２９】
図１６及び図１７に示されているように、もう一方のロックパーツ部材４Ｂは、略方形な板状の主部４ｅと、主部４ｅの一方の側端から、主部４ｅに直交するように延在する張出部４ｆとを有しており、その平面形状は、略Ｌ字状に形成されている。主部４ｅには、主部４ｅにコの字状のスリット４ｇを形成することにより、弾性変形可能な略水平な係止舌片４ｈが形成されており、係止舌片４ｈは、根元部が、主部４ｅの中央部寄りに位置し、自由端部が、張出部４ｆ側に位置するように形成されている。係止舌片４ｈの自由端部には、先端に行くほど、肉厚となるような傾斜面４ｈ１が形成されており、このような傾斜面４ｈ１を形成することにより、自由端部には、主部４ｅの内壁面より、張出部４ｆ方向に突出した係止突部４ｈ２が形成されている。また、主部４ｅの上端部には、主部４ｅの内面側を削除して薄肉とすることにより、凹部としての段差部４ｉが形成されており、更に、主部４ｅの一方の下端角部には、主部４ｅの内面側を削除して薄肉とすることにより、凹部としての段差部４ｊが形成されている。更に、張出部４ｆには、上述したロックパーツ４Ａに形成された嵌合突部４ｂが嵌合可能な嵌合凹部４ｆ１が穿設されている。そして、主部４ｅの段差部４ｉ、４ｊには、適当数の透孔Ｂが穿設されている。
【００３０】
図１８及び図１９において、５Ａは、長側壁用側部パネル保持枠であり、長側壁用側部パネル保持枠５Ａは、相対する一対の板状部５ａと、相対する一対の板状部５ａの一方の端部を連結する連結部５ｂとにより、断面形状が略Ｕ字状に形成されており、相対する一対の板状部５ａと連結部５ｂとにより、長側壁パネルＰｗ２の側方辺部ｐ４を挟持し保持する断面形状が略コの字状のパネル挟持部５’が形成されている。
【００３１】
６Ａは、長側壁Ｗ２を構成する紙製や合成樹脂製の段ボール等の薄板状の長側壁パネルＰｗ２の上辺部ｐ５を挟持し保持するための長側壁用上部パネル保持枠であり、長側壁用上部パネル保持枠６Ａも、上述した長側壁用側部パネル保持枠５Ａと同様に、相対する一対の板状部６ａと、相対する一対の板状部６ａの一方の端部を連結する連結部６ｂとにより、断面形状が略Ｕ字状に形成されており、相対する一対の板状部６ａと連結部６ｂとにより、長側壁パネルＰｗ２の上辺部ｐ５を挟持し保持する断面形状が略コの字状のパネル挟持部６’が形成されている。
【００３２】
長側壁Ｗ２を構成する紙製や合成樹脂製の段ボール等の薄板状の長側壁パネルＰｗ２の４つの角部には、方形状の切込み部ｐ６が形成されている。長側壁パネルＰｗ２の側方辺部ｐ４を挟持し保持する長側壁用側部パネル保持枠５Ａは、長側壁パネルＰｗ２の側方辺部ｐ４の長さ（切込み部ｐ６間の距離）Ｌ３と略同じ長さに形成されており、また、長側壁パネルＰｗ２の上辺部ｐ５を挟持し保持する長側壁用上部パネル保持枠６Ａは、長側壁パネルＰｗ２の上辺部ｐ５の長さ（切込み部ｐ６間の距離）Ｌ４と略同じ長さに形成されている。
【００３３】
次に、２個の雄ヒンジパーツ３Ａと、２個のロックパーツ４Ａと、２本の長側壁用側部パネル保持枠５Ａと、一本の長側壁用上部パネル保持枠６Ａと、１枚の長側壁パネルＰｗ２とによる長側壁Ｗ２の組み立てについて説明する。
【００３４】
長側壁パネルＰｗ２の相対する側方辺部ｐ４を、長側壁用側部パネル保持枠５Ａの断面形状が略コの字状のパネル挟持部５’に挿入するとともに、長側壁パネルＰｗ２の上辺部ｐ５を、長側壁用上部パネル保持枠６Ａの断面形状が略コの字状のパネル挟持部６’に挿入する。その後、長側壁用側部パネル保持枠５Ａの上端部を、ロックパーツ４Ａに形成されている凹部としての段差部４ｄに嵌合し、次いで、長側壁用側部パネル保持枠５Ａの上端部に穿設された透孔Ｂと、ロックパーツ４Ａの段差部４ｄに穿設された透孔Ｂとに、合成樹脂製リベットＲを挿通して、ロックパーツ４Ａに、長側壁用側部パネル保持枠５Ａの上端部を取り付ける。また、長側壁用側部パネル保持枠５Ａの下端部を、高さの高い雄ヒンジパーツ３Ａの凹部としての段差部３ｂに嵌合し、次いで、長側壁用側部パネル保持枠５Ａの下端部に穿設された透孔Ｂと、高さの高い雄ヒンジパーツ３Ａの段差部３ｂに穿設された透孔Ｂとに、合成樹脂製リベットＲを挿通して、高さの高い雄ヒンジパーツ３Ａに、長側壁用側部パネル保持枠５Ａの下端部を取り付ける。更に、長側壁用上部パネル保持枠６Ａの両端部を、ロックパーツ４Ａの凹部としての段差部４ｃに嵌合し、次いで、長側壁用上部パネル保持枠６Ａの両端部に穿設された透孔Ｂと、ロックパーツ４Ａの段差部４ｃに穿設された透孔Ｂとに、合成樹脂製リベットＲを挿通して、ロックパーツ４Ａに、長側壁用上部パネル保持枠６Ａを取り付ける。このようにして、長側壁Ｗ２を組み立てる。
【００３５】
図２０及び図２１において、５Ｂは、短側壁用側部パネル保持枠であり、短側壁用側部パネル保持枠５Ｂは、断面形状が略Ｌ字状に形成されており、一方の帯状部分５ａは、板材として形成されており、また、もう一方の帯状部分５ｂは、帯状部分５ａに垂直な板状部５ｂ１と、板状部５ｂ１の中程に垂設された垂直部５ｂ２と、垂直部５ｂ２の先端から板状部５ｂ１の先端方向に延在するとともに、板状部５ｂ１に略平行な分枝板状部５ｂ３とから形成されている。そして、板状部５ｂ１と垂直部５ｂ２と分枝板状部５ｂ３とにより、短側壁パネルＰｗ１の側辺部ｐ８を挟持し保持する断面形状が略コの字状のパネル挟持部５”が形成されている。
【００３６】
６Ｂは、短側壁Ｗ１を構成する紙製や合成樹脂製の段ボール等の薄板状の短側壁パネルＰｗ１の上辺部ｐ８を挟持し保持するための短側壁用上部パネル保持枠であり、短側壁用上部パネル保持枠６Ｂは、上述した長側壁用上部パネル保持枠６Ａと同様に、相対する一対の板状部６ｃと、相対する一対の板状部６ｃの一方の端部を連結する連結部６ｄとにより、断面形状が略Ｕ字状に形成されており、相対する一対の板状部６ｃと連結部６ｄとにより、短側壁パネルＰｗ１の上辺部ｐ８を挟持し保持する断面形状が略コの字状のパネル挟持部６”が形成されている。
【００３７】
短側壁Ｗ１を構成する紙製や合成樹脂製の段ボール等の薄板状の短側壁パネルＰｗ１の側方辺部ｐ７の上部には、切欠き凹部ｐ９が形成されており、また、短側壁パネルＰｗ１の下端角部には、切込み部ｐ１０が形成されている。短側壁パネルＰｗ１の側方辺部ｐ７を挟持し保持する短側壁用側部パネル保持枠５Ｂは、短側壁パネルＰｗ１の側方辺部ｐ７の長さ（切欠き凹部ｐ９と切込み部ｐ１０との間の距離）Ｌ５と略同じ長さに形成されており、また、短側壁パネルＰｗ１の上辺部ｐ８を挟持し保持する短側壁用上部パネル保持枠６Ｂは、短側壁パネルＰｗ１の上辺部ｐ８の長さＬ６と略同じ長さに形成されている。
【００３８】
次に、２個の雄ヒンジパーツ３Ｂと、２個のロックパーツ４Ｂと、２本の短側壁用側部パネル保持枠５Ｂと、一本の短側壁用上部パネル保持枠６Ｂと、１枚の短側壁パネルＰｗ１とによる短側壁Ｗ１の組み立てについて説明する。
【００３９】
短側壁パネルＰｗ１の相対する側方辺部ｐ７を、短側壁用側部パネル保持枠５Ｂの断面形状が略コの字状のパネル挟持部５”に挿入するとともに、短側壁パネルＰｗ１の上辺部ｐ８を、短側壁用上部パネル保持枠６Ｂの断面形状が略コの字状のパネル挟持部６”に挿入する。その後、短側壁用側部パネル保持枠５Ｂの上端部に位置するパネル挟持部５”の一部を、ロックパーツ４Ｂに形成されている凹部としての段差部４ｈに嵌合し、次いで、短側壁用側部パネル保持枠５Ｂの上端部に穿設された透孔Ｂと、ロックパーツ４Ｂの段差部４ｈに穿設された透孔Ｂとに、合成樹脂製リベットＲを挿通して、ロックパーツ４Ｂに、短側壁用側部パネル保持枠５Ｂの上端部を取り付ける。また、短側壁用側部パネル保持枠５Ｂの下端部に位置するパネル挟持部５”の一部を、高さの低い雄ヒンジパーツ３Ｂの凹部としての段差部３ｅに嵌合し、次いで、短側壁用側部パネル保持枠５Ｂの下端部に穿設された透孔Ｂと、高さの低い雄ヒンジパーツ３Ｂの段差部３ｅに穿設された透孔Ｂとに、合成樹脂製リベットＲを挿通して、高さの低い雄ヒンジパーツ３Ｂに、短側壁用側部パネル保持枠５Ｂの下端部を取り付ける。更に、短側壁用上部パネル保持枠６Ｂの両端部を、ロックパーツ４Ｂの凹部としての段差部４ｉに嵌合し、次いで、短側壁用上部パネル保持枠６Ｂの両端部に穿設された透孔Ｂと、ロックパーツ４Ｂの段差部４ｉに穿設された透孔Ｂとに、合成樹脂製リベットＲを挿通して、ロックパーツ４Ｂに、短側壁用上部パネル保持枠６Ｂを取り付ける。このようにして、短側壁Ｗ１を組み立てる。
【００４０】
次に、上述したようにして形成された底部Ｓ、短側壁Ｗ１及び長側壁Ｗ２の折り畳みコンテナーへの組み立てについて説明する。
【００４１】
長側壁Ｗ２を構成する高さの高い雄ヒンジパーツ３Ａの支柱ｈ５と係止凸部ｈ６とからなる雄ヒンジ部Ｈ２’を、底部Ｓを構成する底部角部パーツ１の高さの低い壁部１ｂ２に形成された雌ヒンジ部Ｈ２の縦孔ｈ２とスリットｈ３に挿入するとともに、雄ヒンジ部Ｈ２’の係止凸部ｈ６を、底部角部パーツ１のスリットｈ３の両側に位置する壁板１ｂ３の内壁面に突設された係止ノッチｈ４に入り込ませることにより、高さの高い雄ヒンジパーツ３Ａを、底部角部パーツ１の高さの低い壁部１ｂ２にヒンジ連結する。このようにして、底部Ｓに、長側壁Ｗ２をヒンジ連結する。
【００４２】
短側壁Ｗ１を構成する高さの低い雄ヒンジパーツ３Ｂの雄ヒンジ部Ｈ１’を構成する支柱ｈ７を、底部Ｓを構成する底部角部パーツ１の高さの高い壁部１ｂ１に形成された雌ヒンジ部Ｈ１を構成する縦孔ｈ１に挿入するとともに、ヒンジピンＨｐを、縦孔ｈ１を構成する相対する壁面に穿設された透孔ｈ１ａ及び支柱ｈ７の下端部に形成された水平円柱体ｈ８の水平孔ｈ８ａに嵌入することにより、高さの低い雄ヒンジパーツ３Ｂを、底部角部パーツ１の高さの高い壁部１ｂ１にヒンジ連結する。このようにして、底部Ｓに、短側壁Ｗ１をヒンジ連結する。
【００４３】
上述したようにして、底部Ｓ、一対の短側壁Ｗ１及び一対の長側壁Ｗ２により、折り畳みコンテナーが組み立てられることになる。
【００４４】
図３に示されているように、長側壁Ｗ２が、底部Ｓに重なるように倒され、また、短側壁Ｗ１が、底部Ｓに重ねられている長側壁Ｗ２に、重なるように倒された折り畳みコンテナーの折り畳まれた状態から、図１に示されているように、箱型に組み立てるには、先ず最初に、短側壁Ｗ１を、垂直方向に回動させて、図２に示されているように、短側壁Ｗ１を、略垂直に立てる。次いで、長側壁Ｗ２を、垂直方向に回動させて、略垂直に立てることにより、図１に示されているように、箱型に組み立てる。
【００４５】
上述したようにして、折り畳みコンテナーが箱型に組み立てられた際には、短側壁Ｗ１に取着されたロックパーツ４Ａに形成された嵌合突部４ｂが、長側壁Ｗ２に取着されたロックパーツ４Ｂの張出部４ｆに形成された嵌合凹部４ｆ１に挿入されるとともに、長側壁Ｗ２に取着されたロックパーツ４Ｂの係止舌片４ｈの係止突部４ｈ２が、図２３に示されているように、短側壁Ｗ１に取着されたロックパーツ４Ａの内面に当接或いは接近して位置し、先に倒される長側壁Ｗ２と後から倒される短側壁Ｗ１とが係合状態を維持し、先に倒される長側壁Ｗ２が、簡単には、底部Ｓ方向に倒れないように構成されている。なお、折り畳みコンテナーが組み立てられた際には、底部角部パーツ１の高さの高い壁部１ｂ１の高さの低い壁部１ｂ２側部分１ｂ１’の上部角部に形成された嵌合凸部１ｄが、高さの低い雄ヒンジパーツ３Ｂの主部３ｃの雄ヒンジ部Ｈ１’付近の下面に形成された切り込み凹部３ｄに挿入されるように構成されている。
【００４６】
箱型に組み立てられた折り畳みコンテナーを折り畳むには、長側壁Ｗ２に取着されたロックパーツ４Ｂの係止舌片４ｈを外側に湾曲させて、係止舌片４ｈの係止突部４ｈ２を、短側壁Ｗ１に取着されたロックパーツ４Ａから外し、その後、長側壁Ｗ２を、底部Ｓ方向に倒し、長側壁Ｗ２を、底部Ｓに重ね、次いで、短側壁Ｗ１を、底部Ｓ方向に倒して、底部Ｓに重ねられている長側壁Ｗ２の上に重ねる。
【００４７】
上述したように構成された折り畳みコンテナーの底部Ｓの裏面には、図２４に示されているように、底部角部パーツ１の裏面に形成された嵌合ブロック１ｅの外側角部１ｅ１を形成する側壁１ｅ２、１ｅ３及び該側壁１ｅ２、１ｅ３と略面一な、底部パネル保持枠２Ａ、２Ｂの水平部分２ｂを構成する垂直部２ｂ２とにより囲撓されるとともに、その裏面が、嵌合ブロック１ｅの下面と、底部パネルＰｓと、該底部パネルＰｓと略面一な、底部パネル保持枠２Ａ、２Ｂの水平部分２ｂを構成する下部水平部２ｂ３とにより形成されている段積み用嵌合部Ｓ１が形成されている。箱型に組み立てられた折り畳みコンテナーを段積みした際には、上に位置する折り畳みコンテナーの底部Ｓの裏面に形成された段積み用嵌合部Ｓ１が、下に位置する折り畳みコンテナーの開口部に嵌合され、上に位置する折り畳みコンテナーが、下に位置する折り畳みコンテナーに対して、水平方向に移動しないように構成されている。
【００４８】
上述したように構成されてる折り畳みコンテナーは、長側壁用側部パネル保持枠５Ａ、短側壁用側部パネル保持枠５Ｂ、短側壁パネルＰｗ１及び長側壁パネルＰｗ２の高さを、適宜、調整することにより、底部角部パーツ１や長側壁用上部パネル保持枠６Ａや短側壁用上部パネル保持枠６Ｂ等の他の部材を変更することなく、箱型状態の折り畳みコンテナーの高さを、自由に変更することができる。また、底部パネル保持枠２Ａ、２Ｂ、長側壁用上部パネル保持枠６Ａ、短側壁用上部パネル保持枠６Ｂ、底部パネルＰｓ、短側壁パネルＰｗ１及び長側壁パネルＰｗ２の長さや大きさを、適宜、調整することにより、箱型状態の折り畳みコンテナーの幅や奥行きを、自由に変更することができる。
【００４９】
なお、上述した実施例における、合成樹脂製リベットＲが挿入される透孔Ｂは、例えば、図４に示されている底部角部パーツ１の底板部１ａや底部パネルＰｓに形成されているように、板部に穿設された単なる孔として構成することも、また、底部角部パーツ１の高さの高い壁部１ｂ１や高さの低い壁部１ｂ２に形成されているように、板部に穿設された孔と該孔の周囲に立設された円筒部とにより構成することもできる。
【００５０】
なお、上述した実施例においては、紙製や合成樹脂製の段ボール等の薄板状のパネル（底部パネルＰｓ、短側壁パネルＰｗ１及び長側壁パネルＰｗ２）の辺部を挟持し保持する保持枠（底部パネル保持枠２Ａ、２Ｂ、長側壁用側部パネル保持枠５Ａ、短側壁用側部パネル保持枠５Ｂ、長側壁用上部パネル保持枠６Ａ及び短側壁用上部パネル保持枠６Ｂ）が使用されているが、パネルの強度や剛性が大きい場合や折り畳みコンテナーの大きさが小さい場合等においては、保持枠を省略し、折り畳みコンテナーを、底部角部パーツ１、雄ヒンジパーツ３Ａ、３Ｂ、ロックパーツ４Ａ、４Ｂ及びパネル（底部パネルＰｓ、短側壁パネルＰｗ１及び長側壁パネルＰｗ２）により形成することもできる。
【００５１】
本発明においては、底部Ｓ、短側壁Ｗ１及び長側壁Ｗ２の角部を構成する形状が複雑な角部パーツ（底部角部パーツ１、雄ヒンジパーツ３Ａ、３Ｂ及びロックパーツ４Ａ、４Ｂ）は、構造が複雑で高価な金型を必要とする射出成形により射出成形品として構成されている。また、底部Ｓ、短側壁Ｗ１及び長側壁Ｗ２を構成する紙製や合成樹脂製の段ボール等の薄板状のパネル（底部パネルＰｓ、短側壁パネルＰｗ１及び長側壁パネルＰｗ２）の辺部を挟持し保持する、断面形状が略Ｕ字状や略Ｌ字状の構造が単純な保持枠（底部パネル保持枠２Ａ、２Ｂ、長側壁用側部パネル保持枠５Ａ、短側壁用側部パネル保持枠５Ｂ、長側壁用上部パネル保持枠６Ａ及び短側壁用上部パネル保持枠６Ｂ）は、構造が単純で安価なダイによる押出成形により押出成形品として構成されている。
【００５２】
そして、折り畳みコンテナーの大きさを変更する場合には、射出成形品としての角部パーツ（底部角部パーツ１、雄ヒンジパーツ３Ａ、３Ｂ及びロックパーツ４Ａ、４Ｂ）を変更することなく、押出成形品としての保持枠（底部パネル保持枠２Ａ、２Ｂ、長側壁用側部パネル保持枠５Ａ、短側壁用側部パネル保持枠５Ｂ、長側壁用上部パネル保持枠６Ａ及び短側壁用上部パネル保持枠６Ｂ）や市販されている紙製や合成樹脂製の段ボール等の薄板状のパネル（底部パネルＰｓ、短側壁パネルＰｗ１及び長側壁パネルＰｗ２）の長さや大きさを変更だけであるので、折り畳みコンテナーを、簡単に、且つ、安価に、所望の大きさに変更することができる。
【００５３】
また、上述したように、底部パネル保持枠２Ａ、２Ｂで、底部Ｓの角部を補強するとともに、底部パネル保持枠２Ａ、２Ｂに、短側壁パネルＰｗ１や長側壁パネルＰｗ２や底部パネルＰｓを取り付け、更に、短側壁パネルＰｗ１や長側壁パネルＰｗ２の角部には、強度的に優れた射出成形品である雄ヒンジパーツ３Ａ、３Ｂを取り付けるように構成したので、箱型に組み立てられた折り畳みコンテナーの強度や剛性が向上するとともに、収容された物品による短側壁Ｗ１や長側壁Ｗ２の外側への膨出を防止することができる。
【００５４】
【発明の効果】
本発明は、以上説明した構成を有しているので、以下に記載する効果を奏するものである。
【００５５】
底部と側壁の角部を、射出成形品としての角部パーツにより構成し、他の部分を市販のパネルにより構成したので、折り畳みコンテナーを、簡単に、且つ、安価に、所望の大きさに変更することができる。
【００５６】
底部と側壁の角部を、射出成形品としての角部パーツにより構成し、他の部分を、市販のパネルと該パネルの辺部を挟持し保持する押出成形品としての保持枠により構成したので、折り畳みコンテナーを、簡単に、且つ、安価に、所望の大きさに変更することができる。
【００５７】
底部の裏面に、底部角部パーツの裏面に形成された嵌合ブロックと底部パネル保持枠とにより囲撓されている段積み用嵌合部を形成し、箱型に組み立てられた折り畳みコンテナーを段積みした際に、上に位置する折り畳みコンテナーの底部の裏面に形成された段積み用嵌合部が、下に位置する折り畳みコンテナーの開口部に嵌合されるように構成したので、上に位置する折り畳みコンテナーが、下に位置する折り畳みコンテナーに対して、水平方向に移動するようなことがなく、従って、多数の折り畳みコンテナーを、安定した状態で段積みすることができる。
【００５８】
底部パネル保持枠で、底部の角部を補強するとともに、底部パネル保持枠に、側壁パネルや底部パネルを取り付け、更に、側壁の角部には、強度的に優れた射出成形品である雄ヒンジパーツを取り付けるように構成したので、箱型に組み立てられた折り畳みコンテナーの強度や剛性が向上するとともに、収容された物品による側壁の外側への膨出を防止することができる。
【図面の簡単な説明】
【図１】図１は本発明の折り畳みコンテナーが箱型に組み立てられた状態の斜視図である。
【図２】図２は本発明の折り畳みコンテナーの折り畳み途中或いは組み立て途中の斜視図である。
【図３】図３は本発明の折り畳みコンテナーが折り畳まれた状態の斜視図である。
【図４】図４は本発明の折り畳みコンテナーを構成する底部角部パーツの斜視図である。
【図５】図５は図４に示されている底部角部パーツの他の方向から見た斜視図である。
【図６】図６は図４に示されている底部角部パーツの更に他の方向から見た斜視図である。
【図７】図７は本発明の折り畳みコンテナーの底部を構成する底部パネル保持枠等の分解斜視図である。
【図８】図８は本発明の折り畳みコンテナーの底部を構成する底部パネル保持枠の斜視図である。
【図９】図９は本発明の折り畳みコンテナーの底部を構成する底部角部パーツや底部パネル保持枠等の部分分解斜視図である。
【図１０】図１０は本発明の折り畳みコンテナーを構成する雄ヒンジパーツの斜視図である。
【図１１】図１１は図１０に示されている雄ヒンジパーツの他の方向から見た斜視図である。
【図１２】図１２は本発明の折り畳みコンテナーを構成する他の雄ヒンジパーツの斜視図である。
【図１３】図１３は図１２に示されている他の雄ヒンジパーツの他の方向から見た斜視図である。
【図１４】図１４は本発明の折り畳みコンテナーを構成するロックパーツの斜視図である。
【図１５】図１５は図１４に示されているロックパーツの他の方向から見た斜視図である。
【図１６】図１６は本発明の折り畳みコンテナーを構成する他のロックパーツの斜視図である。
【図１７】図１７は図１６に示されている他のロックパーツの他の方向から見た斜視図である。
【図１８】図１８は本発明の折り畳みコンテナーの一方の側壁を構成するパネル保持枠等の分解斜視図である。
【図１９】図１９は本発明の折り畳みコンテナーを構成する底部角部パーツや雄ヒンジパーツやロックパーツ等の分解斜視図である。
【図２０】図２０は本発明の折り畳みコンテナーのもう一方の側壁を構成するパネル保持枠等の分解斜視図である。
【図２１】図２１は本発明の折り畳みコンテナーを構成する底部角部パーツや雄ヒンジパーツやロックパーツ等の分解斜視図である。
【図２２】図２２は同じく本発明の折り畳みコンテナーを構成する底部角部パーツや雄ヒンジパーツやロックパーツの分解斜視図である。
【図２３】図２３は箱型に組み立てられた本発明の折り畳みコンテナーの角部付近の部分斜視図である。
【図２４】図２４は本発明の折り畳みコンテナーが箱型に組み立てられた状態の裏面から見た斜視図である。
【符号の説明】
Ｐｓ・・・・・・・・・・・・・・・底部パネル
Ｐｗ１・・・・・・・・・・・・・・長側壁パネル
Ｐｗ２・・・・・・・・・・・・・・短側壁パネル
Ｓ・・・・・・・・・・・・・・・・底部
Ｗ１・・・・・・・・・・・・・・・短側壁
Ｗ２・・・・・・・・・・・・・・・長側壁
１・・・・・・・・・・・・・・・・底部角部パーツ
２Ａ、２Ｂ・・・・・・・・・・・・底部パネル保持枠
３Ａ、３Ｂ・・・・・・・・・・・・雄ヒンジパーツ
４Ａ、４Ｂ・・・・・・・・・・・・ロックパーツ
５Ａ・・・・・・・・・・・・・・・長側壁用側部パネル保持枠
５Ｂ・・・・・・・・・・・・・・・短側壁用側部パネル保持枠
６Ａ・・・・・・・・・・・・・・・長側壁用上部パネル保持枠
６Ｂ・・・・・・・・・・・・・・・短側壁用上部パネル保持枠
【図１】
2004314988.tif 000003
【図２】
2004314988.tif 000004
【図３】
2004314988.tif 000005
【図４】
2004314988.tif 000006
【図５】
2004314988.tif 000007
【図６】
2004314988.tif 000008
【図７】
2004314988.tif 000009
【図８】
2004314988.tif 000010
【図９】
2004314988.tif 000011
【図１０】
2004314988.tif 000012
【図１１】
2004314988.tif 000013
【図１２】
2004314988.tif 000014
【図１３】
2004314988.tif 000015
【図１４】
2004314988.tif 000016
【図１５】
2004314988.tif 000017
【図１６】
2004314988.tif 000018
【図１７】
2004314988.tif 000019
【図１８】
2004314988.tif 000020
【図１９】
2004314988.tif 000021
【図２０】
2004314988.tif 000022
【図２１】
2004314988.tif 000023
【図２２】
2004314988.tif 000024
【図２３】
2004314988.tif 000025
【図２４】
2004314988.tif 000026